(57)【要約】【課題】  簡単安価で伸縮性の大きな名札下げ紐を提供する。【解決手段】  下げ紐１の輪の約半分を線条部分１ａとし、残りの半分をコイル捲きしたスプリング部分１ｂとし、このスプリング部分１ｂの伸縮性を利用して、ＩＤカ−ド等を首に掛けたまゝで、ＩＤカ−ドをセンサに近づけ得るようにした。【選択図】        図１
0003110826.tif 000002
【実用新案登録請求の範囲】
【請求項１】
下げ紐の輪の半分を線条の紐とし、残りの部分をコイル状のスプリングとし、このスプリング部分の中央に名札等を吊り下げるクリップを取着した名札下げ紐。
【考案の詳細な説明】
【技術分野】
【０００１】
本考案は名札等を首から掛ける名札下げ紐に関する。
【背景技術】
【０００２】
店内や社内で従業員や社外関係者が名札を装着することが行われている。これらの名札はＩＤカ−ドを兼ねているのが普通で、構内に出入りするときや入室のとき等にＩＤカ−ドをセンサ−に通す必要がある。その場合ＩＤカ−ドを一々外してセンサ−に通すのは面倒であるから、（名札を兼ねた）ＩＤカ−ドを首に掛けたまゝでセンサ−を通せるようにするため、下げ紐を伸縮可能にし、下げ紐を首に掛けたまゝ、紐を伸ばしてＩＤカ−ドをサンサ−に通せるようにした名札下げ紐が使われている。
【０００３】
名札の下げ紐を伸縮可能とし、縮んだ状態では名札が胸の位置にあり、伸ばすとＩＤ読取り用のセンサ−迄届くようにするには紐に相当大きな伸縮性を持たせる必要があり、現在市販されている物には、スプリングで紐を自動的に巻き取るリ−ルを下げ紐で首に掛け、リ−ルに巻き取られる紐の先に名札を着ける型と、紐自体をシリコンゴムのような伸縮率のきわめて大きい素材の線条とする型がある。
【０００４】
上述したリ−ルを用いる型は機構的に複雑であり製造コストが高くなる。伸縮性の大きな線条を用いる型は上例に比し機構的に簡単であるが、輪の形にした紐を輪の直径（具体的には輪の楕円の長径）をそのまゝ引き伸ばす場合伸縮率が不足するから、図３のように紐１の一端をスライダ１１に固定し、他端をこのスライダ１１を通して、その先端に名札２を付けるようにしてある。このようにすると紐１の全長の伸びが全て名札２の繰り出しに利用出来るのである。実際には名札２を引き出したとき首に掛かっている輪の部分が小さくなって首が締まるようになるのを防ぐため、首に掛ける輪の部分の径を所定以上に保つように紐１には保護チューブ１０が被ぶせてある。従って製造上はかなり複雑である。
【考案の開示】
【考案が解決しようとする課題】
【０００５】
本考案が解決しようとする課題は、上述した従来例に鑑み、機構的にきわめて簡単で充分な伸縮性の得られる名札下げ紐を提供することである。
【課題を解決するための手段】
【０００６】
弾撥的な素材、即ち非伸縮性で曲げたとき元に戻る弾撥力の大きい素材の線条を用い、首に掛ける輪の半分程度の長さの部分は線条のまゝとし、それに続く部分を密巻きコイル状に巻いてスプリングとし、この線条部分の端とスプリング部分の端とを接続して首に掛ける一つの輪とし、スプリング部分の中央に名札を保持するクリップを取付けるようにした。
【考案の効果】
【０００７】
本考案によれば、実質的には一本の線条を輪にして、それに名札を装着しただけの構造であるから、機構と言うような構造性は無く、きわめて簡単な構造であり、スプリングは自身の長さに比し、伸張率を大変大きく採れるのである。
【考案を実施するための最良の形態】
【０００８】
本考案で用いる線条は金属でもよいが、熱可塑性合成樹脂で線条に延伸することが容易であり、且つ巻きくせが付けられるものであれば何でもよく、殊にポリウレタンが好適なようである。線条部分が細くて使用感が余り良くない場合は、チューブ被覆を被ぶせると良い。
【実施例】
【０００９】
図１に本考案の一実施例を示す。１が下げ紐で２が名札である。下げ紐１は全体がポリウレタンの一本の線条で線径は１ｍｍである。この線条は首に掛ける部分は真直な線条のまゝであり、その線条部分１ａの長さは約５０ｃｍ、密着巻きしたスプリング部分１ｂはスプリング長で４１ｃｍ、スプリングとしての有効部分の長さは４０ｃｍで、密着巻きしたスプリング部分の巻きの外径は３．４ｍｍである。
【００１０】
スプリング部分１ｂは二つ折りされて、折曲した部分を小さな輪３にし、この輪３の元の部分を締め具４で締めてある。輪３に名札２を保持させるクリップ５の環の部分が鎖交させてある。スプリング部分１ｂの自由端と、線条部分１ａの自由端には相互に嵌合する雌雄の安全具６ａ，６ｂが固着してあり、この安全具６ａ，６ｂを相互嵌合させることで、下げ紐１全体が一つの輪を完成する。安全具６ａ，６ｂは下げ紐１が何かに捲き込まれて下げ紐１に異常な張力が作用したとき、相互嵌合が外れて下げ紐１の輪が解けるようにするための物なので安全具と言う。線条部分１ａは細いので、シリコンチューブ７を被ぶせて実感太さを太くしてある。８は調節具で線条部分１ａの中央辺で両側の線条を引き寄せ、シリコンチューブ７の外側から一つにまとめており、この調節具８を上下スライドさせることで、下げ紐１の輪の大きさを調節するのである。
【００１１】
図２は上述した下げ紐１の各部の詳細を示す。図２（Ａ）は締め具４およびクリップ５を示し、図２（Ｂ）は安全具６ａ，６ｂを示し、図２（Ｃ）は調節具８を示す。
【００１２】
締め具４は二つの透孔４１が平行して設けられ、スプリング部分１ｂの中央が回曲されてこの透孔４１を通り、スプリングの輪３を作る。実際の組立てでは先にクリップ５の上端の孔５１にスプリング部分１ｂを通しておき、締め具４を嵌めるのである。締め具４は二つ割りになっていて、その一方の２本平行の溝にスプリング部分１ｂを嵌め、他方を係合させて一体化するのである。これによってスプリング部分１ｂは締め具４に挟まれ、締め具４は動かなくなる。締め具４の腹には２枚の舌片４２が平行して突設され、名札２を服の襟等に保持するときのクリップとなる。
【００１３】
安全具６ａ，６ｂは２個の同一部品より成り、夫々の頭部に一対の角６１が突設され、この角は先端が互いに近寄るように曲がっていて、頂部の切れた環になっている。安全具６ａ，６ｂの角６１の半成環を鎖交させて下げ紐１の輪を完成する。角６１は頂部の切れた輪であるから、強く引張ると環の鎖交は解けて下げ紐１の輪が切れるのである。
【００１４】
調節具８は細い管よりなり、下げ紐１の線条部分１ａの中央部をシリコンチューブ７を被ぶせたまゝ回曲させて、この管に通す。このようにして管９を上下させて下げ紐１の有効長を調節する。シリコンチューブ７と調整具８との間の摩擦で調節した長さが保たれる。
【産業上の利用可能性】
【００１５】
本考案は名札を首に掛けたまゝでＩＤカ−ド等をセンサ−に通すことが出来る名札下げ紐で、近頃企業等でセキュリティの必要性が高まって来て、常に関係者を明示している必要がある状況では本考案の価値は高い。
【図面の簡単な説明】
【００１６】
【図１】本考案名札下げ紐の一例の全体図である。
【図２】（Ａ）（Ｂ）（Ｃ）は上記の各部拡大図である。
【図３】従来の一例の全体図である。
【符号の説明】
【００１７】
１  下げ紐
２  名札
４  締め具
５  クリップ
６ａ，６ｂ  安全具
【図１】
0003110826.tif 000003
【図２】
0003110826.tif 000004
【図３】
0003110826.tif 000005